(57)【要約】【課題】  フロアの通路を広く使うことができ、簡潔な構造を備えつつ、必要な場合には素早く閉鎖動作を完了することが可能な防火シャッター装置を提供する。【解決手段】  建物内通路開口を閉鎖する防火シャッター装置（１００）であって、閉鎖時に、開口部面内に隣接して配置されるシャッター（３００）と、扉（２００）と、シャッターと扉との間に配置される方立部（４００）とを備え、開放時に、シャッターは通路の天井部に収容されるとともに、扉及び方立部は、通路両側のうちいずれかの壁部に引き寄せて配置され、方立部は、扉とは別体に形成されるとともに、直立した姿勢を保ちつつ開口部面内を移動されるように構成されており、さらに、シャッターの昇降に連動して、方立部が開口面内を移動されることを特徴とする。【選択図】      図１
2006328661.tif 000002
【特許請求の範囲】
【請求項１】
建物内通路開口を閉鎖する防火シャッター装置であって、
閉鎖時に、前記開口部面内に隣接して配置されるシャッターと、扉と、前記シャッターと扉との間に配置される方立部とを備え、
開放時に、前記シャッターは前記通路の天井部に収容されるとともに、前記扉及び方立部は、前記通路両側のうちいずれかの壁部に引き寄せて配置され、
前記方立部は、前記扉とは別体に形成されるとともに、直立した姿勢を保ちつつ前記開口部面内を移動されるように構成されており、
さらに、前記シャッターの昇降に連動して、前記方立部が前記開口面内を移動されることを特徴とする、防火シャッター装置。
【請求項２】
建物内通路開口を閉鎖する防火シャッター装置であって、
閉鎖時に、前記開口部面内に隣接して配置されるシャッターと、扉と、前記シャッターと扉との間に配置される方立部とを備え、
開放時に、前記シャッターは前記通路の天井部に収容されるとともに、前記扉及び方立部は、前記通路両側のうちいずれかの壁部に引き寄せて配置され、
前記方立部は、前記扉とは別体に形成されるとともに、直立した姿勢を保ちつつ前記開口部面内を移動されるように構成されており、
さらに、一端を前記方立部の上部に回動可能に取り付けられ、他端を前記シャッターの下端部に回動可能に取りけられた連動装置が備えられ、
該連動装置により、前記シャッターの昇降に連動して、前記方立部が前記開口面内を移動されることを特徴とする、防火シャッター装置。
【請求項３】
建物内通路開口を閉鎖する防火シャッター装置であって、
閉鎖時に、前記開口部面内に隣接して配置されるシャッターと、扉と、前記シャッターと扉との間に配置される方立部とを備え、
開放時に、前記シャッターは前記通路の天井部に収容されるとともに、前記扉及び方立部は、前記通路両側のうちいずれかの壁部に引き寄せて配置され、
前記方立部は、前記扉とは別体に形成されるとともに、直立した姿勢を保ちつつ前記開口部面内を移動されるように構成されており、
さらに、前記シャッターの昇降に連動して、前記方立部が前記開口面内を移動されるとともに、前記方立部の所定位置で前記連動の解除及び再連動が可能であることを特徴とする、防火シャッター装置。
【請求項４】
建物内通路開口を閉鎖する防火シャッター装置であって、
閉鎖時に、前記開口部面内に隣接して配置されるシャッターと、扉と、前記シャッターと扉との間に配置される方立部とを備え、
開放時に、前記シャッターは前記通路の天井部に収容されるとともに、前記扉及び方立部は、前記通路両側のうちいずれかの壁部に引き寄せて配置され、
前記方立部は、前記扉とは別体に形成されるとともに、直立した姿勢を保ちつつ前記開口部面内を移動されるように構成されており、
さらに、一端を前記方立部の上部に回動可能に取り付けられ、他端を前記シャッターの下端部に回動可能に取りけられた連動装置が備えられ、
該連動装置により、前記シャッターの昇降に連動して、前記方立部が前記開口面内を移動されるとともに、
前記方立部の所定位置で、前記連動装置と前記方立部との、又は前記連動装置と前記シャッターとの、係合離脱が可能であることにより前記連動の解除及び再連動が可能であることを特徴とする、防火シャッター装置。
【請求項５】
建物内通路開口を閉鎖する防火シャッター装置であって、
閉鎖時に、前記開口部面内に隣接して配置されるシャッターと、扉と、前記シャッターと扉との間に配置される方立部とを備え、
開放時に、前記シャッターは前記通路の天井部に収容されるとともに、前記扉及び方立部は、前記通路両側のうちいずれかの壁部に引き寄せて配置され、
前記方立部は、前記扉とは別体に形成されるとともに、直立した姿勢を保ちつつ前記開口部面内を移動されるように構成されており、
さらに、一端を前記方立部の上部に回動可能に取り付けられ、他端を前記シャッターの下端部に回動可能に取りけられた連動装置が備えられ、
該連動装置により、前記シャッターの昇降に連動して、前記方立部が前記開口面内を移動されるとともに、開放時には、前記連動装置が前記通路天井内に収容されていることを特徴とする、防火シャッター装置。
【発明の詳細な説明】
【技術分野】
【０００１】
本発明は、大規模店舗やビル等の建物内階段近傍に設けられる防火シャッター装置に関する。
【背景技術】
【０００２】
デパート、スーパーマーケット、ショッピングセンター及びオフィスビル等、規模が大きな建物では、火災等が発生した場合に、階段が煙突のようになることを防ぐため、各フロア部分と階段部と結ぶ通路の開口を遮断する防火シャッター装置を設置することが義務付けられている。かかる防火シャッター装置は、上下方向に移動して開口部を開閉するいわゆるシャッター部分と、災害発生時に、避難路を確保するためこのシャッター部分に隣接して配置される防火扉とを備えている。
【０００３】
通常、シャッターには、上方から吊り下げられた多数のスラットの集合体であるシャッターカーテンの内外方向への振れを防止するため、シャッターカーテンの両側にガイドレールが配設されるが、上記のような防火シャッター装置の場合には、一方側のガイドレールは一面側でシャッターをガイドし、他面側で防火扉の戸先部分を受ける必要があるため、方立として構成されている。この方立は、図２０に示すように、通路の中央近傍に床から天井までを貫いて、通路を遮断するように配置されているため、平時には、建物内を移動する顧客にとっては邪魔な存在であり、このため、かかる方立がなるべく目立たなくなるように建物内のレイアウトを考慮する必要があった。
【０００４】
特許文献１には、扉の戸先にシャッターのガイドレールを設けて、かかる方立を不要とした防火扉装置が開示されている。また特許文献２には防火戸の先端に係止機構を設け、この係止機構によりシャッターの一方の側端部を係止して補強する構造を備えた建築用シャッター装置が開示されている。
【特許文献１】特開平１１−２１０３５５号公報
【特許文献２】特開２００２−１９４９７０号公報
【発明の開示】
【発明が解決しようとする課題】
【０００５】
しかし、特許文献１に開示されている防火扉装置の構造では、火災等が発生した場合、まず防火扉を完全に閉鎖位置まで閉めてから、シャッターを下ろしてくる必要がある。従って、動作が二段階になることから、閉鎖に時間を要し、安全上必ずしも好ましいものではないという問題があった。
【０００６】
また、特許文献２に開示されている建築用シャッター装置の構造によると、戸先に係止機構を設けることにより、特許文献１に開示されている構造のような二段階の動作は必要ないが、係止機構の構造が複雑すぎて、実際に製品化することが容易ではないという問題があった。
【０００７】
そこで、本発明は、フロアの通路を広く使うことができ、簡潔な構造を備えつつ、必要な場合には素早く閉鎖動作を完了することが可能な防火シャッター装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１の発明は、建物内通路開口を閉鎖する防火シャッター装置（１００）であって、閉鎖時に、開口部面内に隣接して配置されるシャッター（３００）と、扉（２００）と、シャッターと扉との間に配置される方立部（４００）とを備え、開放時に、シャッターは通路の天井部に収容されるとともに、扉及び方立部は、通路両側のうちいずれかの壁部に引き寄せて配置され、方立部は、扉とは別体に形成されるとともに、直立した姿勢を保ちつつ開口部面内を移動されるように構成されており、さらに、シャッターの昇降に連動して、方立部が開口面内を移動されることを特徴とする、防火シャッター装置を提供することにより前記課題を解決する。
【００１０】
請求項２の発明は、建物内通路開口を閉鎖する防火シャッター装置（１００）であって、閉鎖時に、開口部面内に隣接して配置されるシャッター（３００）と、扉（２００）と、シャッターと扉との間に配置される方立部（４００）とを備え、開放時に、シャッターは通路の天井部に収容されるとともに、扉及び方立部は、通路両側のうちいずれかの壁部に引き寄せて配置され、方立部は、扉とは別体に形成されるとともに、直立した姿勢を保ちつつ開口部面内を移動されるように構成されており、さらに、一端を方立部の上部に回動可能に取り付けられ、他端を前記シャッターの下端部に回動可能に取りけられた連動装置が備えられ、該連動装置により、シャッターの昇降に連動して、方立部が開口面内を移動されることを特徴とする、防火シャッター装置を提供することにより前記課題を解決する。
【００１１】
請求項３の発明は、建物内通路開口を閉鎖する防火シャッター装置（１００）であって、閉鎖時に、開口部面内に隣接して配置されるシャッター（３００）と、扉（２００）と、シャッターと扉との間に配置される方立部（４００）とを備え、開放時に、シャッターは通路の天井部に収容されるとともに、扉及び方立部は、通路両側のうちいずれかの壁部に引き寄せて配置され、方立部は、扉とは別体に形成されるとともに、直立した姿勢を保ちつつ開口部面内を移動されるように構成されており、さらに、シャッターの昇降に連動して、方立部が前記開口面内を移動されるとともに、方立部の所定位置で連動の解除及び再連動が可能であることを特徴とする、防火シャッター装置を提供することにより前記課題を解決する。
【００１２】
請求項４の発明は、建物内通路開口を閉鎖する防火シャッター装置（１００）であって、閉鎖時に、開口部面内に隣接して配置されるシャッター（３００）と、扉（２００）と、シャッターと扉との間に配置される方立部（４００）とを備え、開放時に、シャッターは通路の天井部に収容されるとともに、扉及び方立部は、通路両側のうちいずれかの壁部に引き寄せて配置され、方立部は、扉とは別体に形成されるとともに、直立した姿勢を保ちつつ開口部面内を移動されるように構成されており、さらに、一端を方立部の上部に回動可能に取り付けられ、他端を前記シャッターの下端部に回動可能に取りけられた連動装置が備えられ、該連動装置により、シャッターの昇降に連動して、方立部が開口面内を移動されるとともに、方立部の所定位置で、連動装置と方立部との、又は連動装置とシャッターとの、係合離脱が可能であることにより連動の解除及び再連動が可能であることを特徴とする、防火シャッター装置を提供することにより前記課題を解決する。
【００１３】
請求項５の発明は、建物内通路開口を閉鎖する防火シャッター装置（１００）であって、閉鎖時に、開口部面内に隣接して配置されるシャッター（３００）と、扉（２００）と、シャッターと扉との間に配置される方立部（４００）とを備え、開放時に、シャッターは通路の天井部に収容されるとともに、扉及び方立部は、通路両側のうちいずれかの壁部に引き寄せて配置され、方立部は、扉とは別体に形成されるとともに、直立した姿勢を保ちつつ開口部面内を移動されるように構成されており、さらに、一端を方立部の上部に回動可能に取り付けられ、他端を前記シャッターの下端部に回動可能に取りけられた連動装置が備えられ、該連動装置により、シャッターの昇降に連動して、方立部が開口面内を移動されるとともに、開放時には、連動装置が通路天井内に収容されていることを特徴とする、防火シャッター装置を提供することにより前記課題を解決する。
【発明の効果】
【００１４】
請求項１の発明によれば、平時には、方立部は通路壁際に引き寄せられて収まっているので、通路上にあって人の往来の妨げとなることがない。また、扉と方立部とは別体にされているので、扉を閉鎖しつつシャッターを下ろすことが可能な構造を容易にとることができる。さらに、方立部がシャッターの昇降に連動して自動に移動可能であるので、方立部をシャッター方向に自動的に移動しつつ、シャッターを開閉することができる。
【００１５】
請求項２の発明によれば、請求項１に記載の発明の効果に加えて、連動装置により方立の移動をより円滑かつ確実なものとすることができる。
【００１６】
請求項３の発明によれば、請求項１に記載の発明の効果に加えて、方立が所定位置に達した後、連動が解除され、シャッターのみが下降を継続させることができ、シャッターと扉との幅や大きさに制限されず連動装置を適用することができる。また、方立の所定位置で再び連動可能とすることにより、シャッターの上昇により再び方立を連動して移動させることができるようになる。
【００１７】
請求項４の発明によれば、請求項３に記載の発明の効果に加えて、連動装置により方立の移動をより円滑かつ確実なものとすることができる。
【００１８】
請求項５の発明によれば、平時には連動装置は通路天井内に収容されて外からは見えないようにされているので、意匠性の高い防火シャッター装置を構成することができる。
【００１９】
本発明のこのような作用及び利得は、次に説明する発明を実施するための最良の形態から明らかにされる。
【発明を実施するための最良の形態】
【００２０】
以下本発明を図面に示す実施形態に基づき説明する。
【００２１】
図１は、防火シャッター装置１００の全体を示す斜視図である。図示の防火シャッター装置１００は、建物内通路を通路進行方向に垂直な面で切断した場合に観念される開口平面Ａを閉鎖する装置であり、平時は開放されている。以下の説明において、理解しやすさのため、図１の紙面左下側から防火シャッター装置１００を見た場合を「室内視」、図１の紙面右上側から防火シャッター装置を見た場合を「室外視」とする。これは、理解のしやすさのためであり、必ずしも防火シャッター１００を挟んだ一方と他方が室内外の関係であることには限られない。
【００２２】
平面Ａは上枠１０、下枠２０、左縦枠３０、右縦枠４０からなる四辺の枠体に囲まれている。防火シャッター装置１００は、扉２００と、シャッター３００と、閉鎖時に扉２００とシャッター３００との間に配置される方立部４００とを備えている。
【００２３】
扉２００は、左縦枠３０に蝶番等により回動可能に取り付けられている。扉２００は、その内側にさらに小さな内扉２１０を備えている。内扉２１０は、扉２００が閉鎖された場合であっても、開閉が可能とされており、万一、防火シャッター装置１００により締め出された人がいた場合であっても、その人のために避難路を確保している。
【００２４】
方立部４００は、平時には図の左側にある通路側壁Ｗに寄せて、左縦枠３０に隣接して配置されており、火災報知等のきっかけにより、通路中央側へと、直立した姿勢を保持したまま、せり出すように構成されている。かかる方立部４００のせり出しは、後述する連動装置５００による動作補助を受けつつ、上枠１０の下面、及び下枠２０の上面に形成された上部溝レール１１、及び下部溝レール１２（上枠の上部溝レール１１は図１では死角にあるため表されていない。）に沿って、方立部４００の上端部４１０及び下端部４２０が通路中央部方向へと移動されることにより行われる。
【００２５】
シャッター３００は、平時は通路天井内に配設されたモータ３２０により各スラット３１０がシャッターボックス内の巻き取り機３３０に巻き上げられている。火災報知等のきっかけにより、シャッター３００が下ろされて閉鎖されるとき、シャッター３００の一端側は、右縦枠４０に形成された、不図示のガイド溝に案内されて下降する。一方、シャッター３００の他端側は、連動装置５００の案内により、連動装置５００及び方立部４００に設けられたガイドレール６３０に係合される。これにより、シャッター３００の内外方向への振れが抑制されている。
【００２６】
次に、方立部４００の移動機構について図２〜５を参照しつつ説明する。図２（ａ）は、方立部４００の下端部４２０と下部溝レール１２とを示す斜視図、図２（ｂ）は方立部４００の下端部４２０と下部溝レール１２とを分解斜視図で拡大して示すものである。また、図３は、方立部４００の下端部４２０に取り付けられる、当接輪機構４３０を示す斜視図である。また、図４は、図３に示された当接輪機構の（ａ）は正面図、（ｂ）は側面図（ただし本図には、下部溝レール１２が併記されている。）、（ｃ）は平面図である。さらに図５（ａ）は、室外視における上部溝レール１１と下部溝レール１２との間を走行される方立部４００全体を、後述する連動装置５００とともに示す図、図５（ｂ）は、方立部４００の下端部４２０を拡大して示す図である。図５では、図１の右上側からシャッター装置１００を見た場合を示している。
【００２７】
図２及び図５からも明らかなように、方立部４００の下端部４２０には、当接輪機構４３０が取り付けられている。また図示はしていないが、方立部４００の上端部４１０にも当接輪機構４３０ｂが取り付けられている。上部の当接輪機構４３０ｂは上部溝レール１１に、下部の当接輪機構４３０は下部溝レール１２に案内されて走行される。上部当接輪機構４３０ｂと下部当接輪機構４３０は、上方と下方とを逆にしたのみで、方立部４００への取り付け方を除き基本的に同一の構造を有するので以下では下部当接輪機構４３０に代表させて説明を行う。
【００２８】
図３、及び図４に表されているように、当接輪機構４３０は、基板４３１の表裏に補助板４３２、４３２がネジ４３３で取り付けられており、一方の補助板４３２には、二つの水平輪４３４、４３５が、他方の補助板４３２にはひとつの垂直輪４３６がそれぞれ回転自在に取り付けられている。基板４３１には上下方向に長孔４３７が形成されている。
【００２９】
図４（ｂ）において明らかなように、当接輪機構４３０が下部溝レール１２内に配置されたときに、水平輪４３４、４３５は、下部溝レールの側板１２ａに、垂直輪４３６は底板１２ｃ、あるいは天板１２ｄに当接される。かくして下部当接輪機構４３０は、方立部４００の下端部４２０が下部溝レール１２に沿って円滑に走行できるように案内するとともに、方立部４００が内外方向へ移動されるのを規制している。
【００３０】
上部当接輪機構４３０ｂは、方立部４００の上端部４１０と回動自由に固定されている。一方、下部当接輪機構４３０は、方立部４００の下端部４２０と、基板４３１に設けられた長孔４３７を利用して上下方向に移動自由に取り付けられている。かかる構成によって、図５に示されるように、方立部４００は、上部溝レール１１との間に一定の回転の自由度が与えられ、且つ、かかる回転により生じる方立部４００の、上下の溝レール１１、１２間距離の伸縮を、下部溝レール１２と下部当接機構４３０との間で調整している。
【００３１】
次に、方立部４００の横方向への動作を補助する連動装置５００について説明する。図６は、連動装置５００を構成する部材を取り出して示した室外視における斜視図である。連動装置５００は、一体に形成された連結アーム５１０と、回動支持部材５１１と、連結部５３０とを備えている。さらに、該一体に形成された連結アーム５１０と、回動支持部材５１１と連結部５３０とは別に、一対の受け部材５５０、５６０を有している。回動支持部材５１１は連結アーム５１０の上端部に、連結部５３０は連結アーム５１０の下端部にそれぞれ取り付けられている。
【００３２】
さらに詳しく連動装置５００の構造を説明する。図７は、一体に形成された連結アーム５１０と回動支持部材５１１と連結部５３０とを示した、（ａ）が正面図、（ｂ）が側面図、（ｃ）が上面図である。図７（ｃ）は、見易さのため、図７（ａ）、（ｂ）より大きい尺度で示している。図７により一体に形成された連結アーム５１０、回動支持部材５１１及び連結部５３０の構造について説明する。図７（ｃ）からわかるように、回動支持部材５１１は、水平断面形状が略コの字をした部材で、その１辺を連結アーム５１０の側面に取り付けられている。これにより図７（ａ）、（ｃ）に示したように、回動支持部材５１１は、連結アーム５１０の側面から突出して配置される。さらに、回動支持部材５１１における連結アーム５１０とは接していない２つの辺には、それぞれに孔５１２、５１２が設けられている。この２つの孔５１２、５１２は、図７（ｃ）において紙面上下方向同軸上に中心を有し、同じ径で設けられている。
【００３３】
連結アーム５１０は、図７（ａ）、（ｂ）に示したように、棒状の部材である。また、図７（ｃ）からわかるように、その断面は矩形で、中空部５１３を有している。さらに、矩形である４辺の内の１辺が全長に亘り開口５１４を有し、中空部５１３と外部とを連通させている。また、開口５１４の両端からはＬ字型部材５１０ａ、５１０ｂが延設され、該Ｌ字型部材５１０ａ、５１０ｂの１辺に後述する連結部５３０が取り付けられている。
【００３４】
連結部５３０は、一対のブラケット５３１ａ、５３１ｂと、一対の第一連結ローラ５３２ａ、５３２ｂと、一対の第二連結ローラ５３３ａ、５３３ｂとを備えている。ブラケット５３１ａ、５３１ｂは、平板状の部材で、連結アーム５１０のＬ字型部材５１０ａ、５１０ｂと接して取り付けられる部位にのみＬ字型に形成された取付部５３４ａ、５３４ｂを有している。ブラケット５３１ａは取付部５３４ａを介して連結アーム５１０のＬ字型部材５１０ａに取り付けられ、ブラケット５３１ｂは取付部５３４ｂを介して連結アーム５１０のＬ字型部材５１０ｂに取り付けられている。従って、２つのブラケット５３１ａ、５３１ｂは、取付部５３４ａ、５３４ｂ以外の部位において、所定の間隔で略平行に配置されている。また、その向きは連結アーム５１０の開口５１４に対して略垂直とされている。よって、図７（ｂ）、（ｃ）からわかるように、２つのブラケット５３１ａ、５３１ｂの間を通じて外部（図７（ｃ）において紙面左側、図７（ｂ）において紙面手前側）から、直線状のものを連結アーム５１０の中空部５１３へ挿入することが可能とされている。後述するように、該開口５１４及び該中空部５１３は、その中にシャッター３００の端部が挿入可能とされており、ガイドレールとしての役割を有する。
【００３５】
２つのブラケット５３１ａ、５３１ｂの対向する面側のそれぞれには、対向して取り付けられた一対の第一連結ローラ５３２ａ、５３２ｂ及び一対の第二連結ローラ５３３ａ、５３３ｂが配置されている。第一連結ローラ５３２ａと第一連結ローラ５３２ｂとは軸心を共有し、回転自在とされている。第二連結ローラ５３３ａと第二連結ローラ５３３ｂとに関しても同様である。また、対向する第一連結ローラ５３２ａと第一連結ローラ５３２ｂとの間隔、及び第二連結ローラ５３３ａと第二連結ローラ５３３ｂとの間隔は、連結アーム５１０の開口５１４の間隔より若干広く取られている。従って、前述したように、２つのブラケット５３１ａ、５３１ｂの間を通じて外部（図７（ｃ）において紙面左側、図７（ｂ）において紙面手前側）から、直線状のもの、つまりはシャッター３００の端部が連結アーム５１０の中空部５１３へ挿入可能である。
【００３６】
さらに図７（ａ）からわかるように、連結部５３０を正面から見たときに、第一連結ローラ５３２ａ、５３２ｂ、及び第２連結ローラ５３３ａ、５３３ｂは、ブラケット５３１ａ、５３１ｂの下部に取り付けられている。また、第一連結ローラ５３２ａ、５３２ｂ、及び第２連結ローラ５３３ａ、５３３ｂのブラケット５３１ａ、５３１ｂへの高さ方向取り付け位置は異なり、第一連結ローラ５３２ａ、５３２ｂの方が第２連結ローラ５３３ａ、５３３ｂよりも高い位置に配置されている。
【００３７】
次に、連動装置５００を構成する他の１つの部材である、受け部材５５０、５６０について説明する。図８に一対の受け部材５５０、５６０のうち室外視側に配置されている受け部材５５０の斜視図を示す。図８では、受け部材５５０が防火シャッター１００に配置された場合において、紙面左下側が連結アーム５１０から遠い側、紙面右上側が連結アーム５１０に近い側となる。さらに紙面左上側シャッター、紙面右下が室外側となる。受け部材５５０は、基体５５１と、受け溝５５２とが一体に形成されている。基体５５１は平板状の部材である。受け溝５５２は、基体５５１の一面５５１ａから突出して取り付けられた部材で、Ｌ字型の断面を有する部材を折り曲げたような形態を有している。Ｌ字型の断面のうちの部位５５２ａの一端を基体５５１の面５５１ａに接して取り付けられ、他の部位５５２ｂを基体５５１と接しないように配置されている。これにより、受け溝５５２は、基体５５１の面５５１ａと部位５５２ｂとの間に部位５５２ａを底部とした溝のような部位を形成する。また、受け溝５５２は、連結アーム５１０にから遠い側（紙面左側）から基体５５１の面５５１ａ上に概ね以下のような形で形成されている。まず基体５５１の連結アーム５１０から遠い上部より略鉛直に下方に配置され、基体５５１の鉛直方向略中心位置で略直角に曲がり、水平の姿勢で連結アーム５１０に近づく方向（紙面右側）に延設される。さらに基体５５１の水平方向中心より若干連結アーム５１０に近い位置で鉛直下方に曲げられて延設されている。さらに再び水平に連結アーム５１０に近づく方向に曲げられて延設され、基材５５１の連結アーム５１０に近い端部でさらに斜め上方に延設されている。以上のような構成により、受け溝５５２は、高さの異なる２箇所の水平な溝部を有し、２箇所の凹部が形成される。後述のように、該２箇所の凹部のそれぞれに第一連結ローラ及び第二連結ローラが連結される。
【００３８】
一対の受け部材５５０、５６０のうちの他方の受け部材５６０は、受け部材５５０の受け溝５５２が備えられていない側の面（図８において死角となり示されていない。）に対して対称である形状を有し、それ以外の構成は受け部材５５０と同じ形状に形成されている。
【００３９】
以上のような連動装置５００とすることにより、適切かつ確実にシャッター３００と方立部４００との連動を行うことができる。次に連動装置５００と他の部材との関係を示し、その動作について説明する。連動装置５００の配置は、室内視において図１に示したようになるが、説明のため図９に連動装置５００及びその周辺に着目して拡大した図を示す。連結アーム５１０の回動支持部材５１１が、方立部４００の上部に回動可能に取り付けられる。このとき、図９では見えないが、回動支持部材５１１の孔５１２、５１２（図７参照）に孔５１２、５１２よりも径の細い軸を通すことで、連結アーム５１０と方立部４００とが回動可能に取り付けられる。
【００４０】
一方、連結アーム５１０の他端側には、前述の通り連結部５３０が備えられている。連結部５３０は図７で示したように、一対のブラケット５３１ａ、５３１ｂ及び第一、第二連結ローラ５３２ａ、５３２ｂ、５３３ａ、５３３ｂを備え、所定の間隔が確保されている。図９に示すように、該所定の間隔の間にシャッター３００の端部が挟まれて配置される。前述の通り、連結部５３０の間隔は連結アーム５１０の開口５１４及び中空部５１３に連通している。これにより、シャッター３００の閉鎖及び方立部４００の移動に伴い、シャッター３００の端部は、連結アーム５１０の開口５１４を通じて中空部５１３に収まり、該開口５１４及び中空部５１３はガイドレールとして役割を有する。これが、シャッター３００の閉鎖時において、シャッター３００の端部が内外方向にぶれることを制限している。
【００４１】
シャッター３００と連結部５３０との連結は、受け部材５５０、５６０を介して行われる。一対の受け部材５５０、５６０は、シャッター３００の下部で、連結アーム５１０に近い端部にシャッター３００を挟んで両側に取り付けられている。このとき、受け溝５５２、５６２の備えられていない面をシャッター３００に接して配置される。受け部材５５０、５６０は前述のような受け溝５５２、５６２を有しているので、該受け溝５５２、５６２に第一連結ローラ５３２ａ、５３２ｂ又は第二連結ローラ５３３ａ、５３３ｂが連結することにより連結部５３０と受け部材５５０、５６０との連結が行われ、結果的に連結アーム５１０とシャッター３００との連結が行われる。
【００４２】
以上のような各部材の配置により方立部４００とシャッター３００との連結が行われ、シャッター３００の閉鎖とともに方立部４００がシャッター３００に近づくように移動し、逆にシャッター３００の上昇とともに方立部４００が壁の方向に移動する。
【００４３】
次に、シャッター３００の下降に伴い方立部４００が移動する際の動作、及びそのときの連結部５３０と受け部材５５０、５６０との状態の変化を図１０、図１１及び図１２を参照しつつ説明する。図１０、図１１及び図１２において、各図の（ａ）は、防火シャッター装置１００の室外視の正面図であり、各図の（ｂ）は、そのときの連結部５３０と受け部材５５０との関係を拡大して示した図である。平時、防火シャッター装置１００が開放されているときには、図１０のような状態であり、シャッター３００は防火シャッター１００の上部に格納され、方立部４００は壁に近接して配置されている。このとき連動装置５００は、防火シャッター装置１００の上部に水平に収納されている。また、連結部５３０と受け部材５５０とは、図１０（ｂ）に示したように第二連結ローラ５３３ａ、５３３ｂがシャッター３００の両表面に取り付けられた受け部材５５０の受け溝５５２の凹部５５２ｃのそれぞれに係合することにより連結されている。
【００４４】
次に火災報知等があり、シャッター３００が下がり始めると、図１１に示したように、連結アーム５１０は自重により、受け部材５５０、５６０に連結されたまま、方立部４００との取り付け部分を軸に反時計回り方向に回動される。連結アーム５１０は長さを変化させないので、この回動により連結アーム５１０のシャッター３００側の一端が下方へ移動すると他端側は方立部４００の上部に固定されているので、高さ方向の位置を変化させることができない。これにより、連結アーム５１０の方立部４００に取り付けられた側の端部は紙面左方向へ移動し、それに伴い、方立部４００がシャッター３００の方向に引き寄せられる。連結アーム５１０は、角度を変えながら方立部４００を引き寄せるので、ある程度のシャッター３００の閉鎖が進むと、途中で第一連結ローラ５３２ａ、５３２ｂが受け溝５５２に接して配置されるようになる。
【００４５】
ここでは、連結アーム５１０は自重により一端が下降する場合を示したが、連結部５３０と受け部材５５０、５６０とがさらに強固に連結された状態を保つための機構や部材を備えても良い。例えば、連結アーム５１０を下方に押圧する力を与えるための機構や、連結のためのロック機構等を挙げることができる。これは、連動装置５００や方立部４００に使用される材料や防火シャッター装置１００の大きさ等により、適した方法を採用することが好ましい。
【００４６】
さらに閉鎖動作が進行すると、図１２に示したように方立部４００は所定の位置に達し、連結アーム５１０も略鉛直となる。このとき、連結アーム５１０は方立部４００の内側に収納され、前述のようにシャッター３００のガイドレールとしてシャッター３００端部の振れを防止する。
【００４７】
図１２に示した状態では、まだシャッター３００は閉鎖を完了していない。そこで、さらにシャッター３００の閉鎖動作が進行すると、図１３に示したように、連結部５３０が受け部材５５０、５６０から離脱し、シャッター３００は閉鎖動作を継続、完了させることができる。このように連結部５３０が受け部材５５０、５６０と離脱可能であることにより、シャッター３００の通路閉鎖完了に要する下降距離と、アーム５１０との長さを必ずしも一致させることなく連動装置５００を設定することができる。従って、多種多様な開口の大きさに対応が可能で、汎用性に優れた防火シャッター装置とすることができる。
【００４８】
次に逆にシャッター３００が閉鎖状態から開放状態へ移動する時の動作について説明する。動作については、上述したシャッター３００の閉鎖動作を遡るように行われる。閉鎖動作の説明と同様に図１０〜図１３を参照しつつ説明する。シャッター３００の閉鎖完了状態からシャッター３００が開放され始めると、最初に図１３のような状態となる。この状態においては、まだ連動部５３０と受け部材５５０、５６０とは離脱状態のままである。
【００４９】
さらにシャッター３００の開放が進むと、図１２に示したように、連動部５３０と受け部材５５０、５６０とが再び連結された状態となる。このとき、受け溝５５２に最初に接するのは第一連結ローラ５３２ａ、５３２ｂである。第一連結ローラ５３２ａ、５３２ｂは、第二連結ローラ５３３ａ、５３３ｂよりも、連結アーム５１０の方立部４００に取り付けられた回動の支点から水平方向で遠い位置に設けられている。これにより第一連結ローラ５３２ａ、５３２ｂは多くのモーメントを得ることができ、より円滑に方立部４００の移動を開始することができる。
【００５０】
シャッター３００の開放がさらに進むと図１１に示した状態となる。この状態では、連結アーム５１０は、シャッター５００の上昇とともにその角度を変化させ、それに伴い、方立部４００が壁側に移動する。このとき、受け溝５５３に接する連結ローラは、連結アーム５１０の角度変化によって、第一連結ローラ５３２ａ、５３２ｂから第二連結ローラ５３３ａ、５３３ｂに切り替わる。第二連結ローラ５３３ａ、５３３ｂは、第一連結ローラ５３２ａ、５３２ｂよりも連結アーム５１０に近い位置に配置されている。これにより、図１０に示したようなシャッター３００の収納時に、連結アーム５１０をより上方に押し上げることができ、連結アーム５１０を好適に防火シャッター装置１００の上部に収納することが可能となる。
【００５１】
以上の一連の操作により、シャッター３００の開閉に伴い、方立部４００が壁側からシャッター３００の端部まで移動することができるとともに、再び壁側へ戻ることが可能となる。
【００５２】
次に、引き寄せ機構６００について説明する。図１に示したように、方立部４００の高さ方向略中央から下にガイドレール６３０が備えられている。該ガイドレール６３０は、連結アーム５１０が鉛直の姿勢となり、方立部４００の内側に収納された状態で、連結アーム５１０から連続してシャッター３００端部のガイドレールが形成されるように配置されている。ガイドレール６３０は、図１３のように連結アーム５１０と受け部材５５０、５６０とが離脱した状態におけるシャッター３００端部の内外方向の振れを防止するためのガイドレールである。
【００５３】
図１４及び図１５を参照しつつ引き寄せ機構６００について説明する。図１４は、引き寄せ機構及びその周辺に注目して示した室外視の斜視図である。図１５は、引き寄せ機構及びその周辺に注目して示した室外視の正面図である。後述のように引き寄せ機構６００の一部はガイドレール６３０の内部に設けられているので、図１５では、ガイドレール６３０を破断面で示している。引き寄せ機構６００は、シャッター側部材６１０とレール側部材６３１とを備えている。シャッター側部材６１０は、基体６１１と引き寄せローラ６１２とを有しており、シャッター３００の方立部４００に近い側の下端部に取り付けられている。シャッター３００に直接接して取り付けられているのは基体６１１で、引き寄せローラ６１２は、垂直輪として基体６１１に取り付けられ、回動自在とされている。一方、レール側部材６３１は図１５に示したようにガイドレール６３０の内部に備えられている。レール側部材６３１は、図１５の紙面手前、奥方向に幅を有する板上の部材であり、これがガイドレール６３０の内側に一体に形成されている。また、レール側部材６３１は、図１５に示したように傾斜部６３１ａと鉛直部６３１ｂとを有している。
【００５４】
シャッター３００の閉鎖が進行し、連結アーム５１０が図１２に示したように略鉛直な状態に近づくにつれて、シャッター３００の端部は方立部４００にガイドされつつ、その内側に挿入される。この際、図１４の直線矢印で示したように引き寄せローラ６１２がガイドレール６３０の内側に入り、レール側部材６３１の傾斜部６３１ａ上に乗るように接する。その後図１５に破線で示したように、引き寄せローラ６１２は、レール側部材６３１上を転動する。この際、引き寄せローラ６１２が傾斜部６３１ａ上を転動することにより、シャッター３００は方立部４００を強く引き寄せる。そして引き寄せローラ６１２鉛直部６３１ｂ上を転動することにより、シャッター３００と方立部４００とは強く引き寄せられた状態を維持しつつ、シャッター３００は昇降することができる。これにより、方立部４００はシャッター３００側に確実に引き寄せられるとともに、引き寄せられた後もシャッター３００と強く連結された状態を維持することができ、防火シャッター全体として確実に通路を閉鎖することができる。逆にシャッター３００が上昇する際には、以上の動作が遡りながら行われる。
【００５５】
次に、閉鎖動作調整機構７００について、図１６〜図１８を参照しつつ説明する。図１６は、閉鎖動作調整機構７００の動作を、扉２００と方立部４００と同時に示す図である。図１６（ａ）は閉鎖動作途中で閉鎖動作調整機構７００が作用している状態を示す図、図１６（ｂ）は、閉鎖動作が完了された状態を示す図である。図１７は、閉鎖動作完了時の、閉鎖動作調整機構７００、方立部４００、及び扉２００の戸先部を室内側から拡大して示す平面図である。また、図１８は、閉鎖動作調整機構７００が作用している状態を示す斜視図である。
【００５６】
上枠１０の、扉２００閉鎖時の戸先に対応する部位には、閉鎖動作調整機構７００が取り付けられている。閉鎖動作機構７００は、上枠１０の扉２００側の面に取り付けられた取り付け台７１０を備えている。取り付け台７１０には、軸７２０を介してストッパ７３０が回動自在に取り付けられている。ストッパ７３０は平時、その先端が閉鎖されてくる扉２００の方向に向けられており、扉２００が閉鎖されてくるとその先端が扉２００に当接されて、それ以上の扉２００の閉鎖動作を規制する。
【００５７】
方立部４００には、扉２００側に突設された張り出し部４０５が設けられており、張り出し部４０５の上面には上方に突出する当接バー４０６が取り付けられている。
【００５８】
図１６において、図１６（ａ）からも明らかなように、ストッパ７３０により扉２００の閉鎖動作が規制されることにより、方立部４００のシャッター方向への移動がなんら規制されることなく行われる。方立部４００が壁側からシャッター方向に移動（図において右から左方向に移動）すると、当接バー４０６が、扉２００の閉鎖を規制しているストッパ７３０を押圧して、ストッパ７３０を軸７２０の周りに反時計回りの方向に回動させる。かくしてストッパ７３０による扉２００の閉鎖の規制が解除され、扉２００は、上枠１０と平行となる位置まで回動可能となり、閉鎖を完了することができる。
【００５９】
図１９は、本発明の防火シャッター装置１００の動作を示す図であり、（ａ）は開放時（平時）、（ｂ）は閉鎖途中、（ｃ）は完全に閉鎖された状態を示す図である。また各図の上段は室外視における正面図であり、下段は上面図を示している。平時、シャッター３００は天井内に設けられた巻き取り機３３０に巻き取られ、扉２００、及び方立部４００は通路右側の壁に寄せて、あるいは沿って配置されている。従って、通路に通行の障害となるものは全くないので、通路を広々と使用することが可能である。また、連動装置５００は天井内にカバーされて配置されているので、外部からその存在がほとんど目立つことがなく、天井部の概観をすっきりとしたものにすることができる。
【００６０】
火災等が発生して、防火シャッター装置１００を閉鎖する必要が生じたとき、シャッター３００を巻き取り装置３３０に巻き上げて留めていた係止装置が解除され、シャッター３００は自重により下降を開始する。一方、天井部内に収容されていた連動装置５００の連結アーム５１０がシャッター３００の下降とともに反時計回り方向に回動され、それに引かれるように方立部４００が壁側からシャッター側へと移動を開始する。また、これらの動作と同時に扉２００の閉鎖動作も開始される。そして最終的には図１９（ｃ）に示されるように、完全に閉鎖されたシャッター３００と、扉２００との間に、方立部４００が配置された状態になる。このように、緊急時にはシャッター３００、方立部４００、扉２００の閉鎖動作が同時に進行するので、平時の状態から完全閉鎖状態になるまでに多くの時間を要しない。
【００６１】
なお、以上の説明において、例えば図１では開口部の左側に扉、右側にシャッターが配置された例を説明したが、扉とシャッターとの配置はこの例とは左右逆であってもよい。
【００６２】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う防火シャッター装置もまた本発明の技術的範囲に包含されるものとして理解されなければならない。
【図面の簡単な説明】
【００６３】
【図１】防火シャッター装置の全体を示す室内視の斜視図である。
【図２】（ａ）は方立部の下部と下部レールとを示す斜視図、（ｂ）は方立部の下部と下部レールとを分解斜視図で示すものである。
【図３】方立部の下部に取り付けられる、当接輪機構を示す斜視図である。
【図４】図３に示された当接輪機構の（ａ）は正面図、（ｂ）は側面図、（ｃ）は下面図である。
【図５】（ａ）は上部レールと下部レールとの間を走行される方立部全体を示す室外視の図、（ｂ）は、方立部の下端部を拡大して示す図である。
【図６】連動装置の室外視の斜視図である。
【図７】連結アーム、回動支持部材、連結部を示す、（ａ）は正面図、（ｂ）は側面図、（ｃ）は上面図である。
【図８】一対の受け部材うちの室外視側に配置される受け部材の斜視図である。
【図９】取り付けられた連動装置及びその周辺を示す室内視の斜視図である。
【図１０】開放姿勢を示す室外視の、（ａ）は防火シャッター装置の正面図、（ｂ）は連動装置のシャッター側の端部の正面図である。
【図１１】閉鎖途中の一場面を示す室外視の、（ａ）は防火シャッター装置の正面図、（ｂ）は連動装置のシャッター側の端部の正面図である。
【図１２】閉鎖途中の一場面を示す室外視の、（ａ）は防火シャッター装置の正面図、（ｂ）は連動装置のシャッター側の端部の正面図である。
【図１３】連動装置の連動が解除された閉鎖途中の一場面を示す室外視の、（ａ）は防火シャッター装置の正面図、（ｂ）は連動装置のシャッター側の端部の正面図である。
【図１４】引き寄せ機構の周辺に注目して示す室外視の斜視図である。
【図１５】引き寄せ機構を説明するための、引き寄せ機構の周辺に注目して示した室外視の正面図である。
【図１６】閉鎖動作調整機構の動作を扉と方立部と同時に示す図である。（ａ）は閉鎖動作途中で閉鎖動作調整機構が作用している状態を示す図、（ｂ）は、閉鎖動作が完了された状態を示す図である。
【図１７】閉鎖動作完了時の、閉鎖動作調整機構、方立部、及び扉の戸先部を拡大して示す平面図である。
【図１８】閉鎖動作調整機構が作用している状態を示す斜視図である。
【図１９】本発明の防火シャッター装置の動作を示す室外視の図であり、（ａ）は開放時（平時）、（ｂ）は閉鎖途中、（ｃ）は完全に閉鎖された状態を示す図である。また各図の上段は正面図であり、下段は上面図を示している。
【図２０】方立部が通路上に固定されている従来の防火シャッター装置を示し、（ａ）は正面図、（ｂ）は上面図である。
【符号の説明】
【００６４】
Ａ  開口平面
Ｗ  通路壁
１０  上枠
１１  上部溝レール
１２  下部溝レール
２０  下枠
３０  左縦枠
４０  右縦枠
１００  防火シャッター装置
２００  扉
２１０  内扉
３００  シャッター
３１０  スラット
３２０  モータ
３３０  巻き取り機
４００  方立部
４０１  取り付け板
４０５  張り出し部
４０６  当接バー
４１０  上端部
４２０  下端部
４３０  当接輪機構（下部）
４３０ｂ  当接輪機構（上部）
４３１  基板
４３２  補助板
４３３  ネジ
４３４  水平輪
４３５  水平輪
４３６  垂直輪
４３７  長孔
４９０  ネジ
５００  連動装置
５１０  連結アーム
５１１  回動支持部材
５１２  孔
５１３  中空部
５１４  開口
５３０  連結部
５３１ａ、５３１ｂ  ブラケット
５３２ａ、５３２ｂ  第一連結ローラ
５３３ａ、５３３ｂ  第二連結ローラ
５５０  受け部材
５６０  受け部材
６００  引き寄せ機構
６１０  シャッター側部材
６１１  基体
６１２  引き寄せローラ
６３０  ガイドレール
６３１  レール側部材
７００  閉鎖動作調整機構
７１０  取り付け台
７２０  軸
７３０  ストッパ
【図１】
2006328661.tif 000003
【図２】
2006328661.tif 000004
【図３】
2006328661.tif 000005
【図４】
2006328661.tif 000006
【図５】
2006328661.tif 000007
【図６】
2006328661.tif 000008
【図７】
2006328661.tif 000009
【図８】
2006328661.tif 000010
【図９】
2006328661.tif 000011
【図１０】
2006328661.tif 000012
【図１１】
2006328661.tif 000013
【図１２】
2006328661.tif 000014
【図１３】
2006328661.tif 000015
【図１４】
2006328661.tif 000016
【図１５】
2006328661.tif 000017
【図１６】
2006328661.tif 000018
【図１７】
2006328661.tif 000019
【図１８】
2006328661.tif 000020
【図１９】
2006328661.tif 000021
【図２０】
2006328661.tif 000022